(57)【要約】【課題】  アカウントアグリゲーション等の口座を統合するサービスに係り、振込・振替（資金移動）に係る指示の操作の簡便化を図ることを課題とする。【解決手段】  アカウントアグリゲーションのサービスの対象である口座群について、先にすべて認証を行い、その上で、アカウントアグリゲーション口座情報画面９０１でこれらの口座情報群を表示する。この画面で、振込・振替のアイコンを選択すると、振込・振替指示画面９０２で、前述の口座群から振込・振替元口座９０３と振込・振替先口座９０４を自在に選択することができる。振込・振替金額を入力し、確認アイコンを選択し、振込・振替指示が完了する。【選択図】        図９
2005173718.tif 000002
【特許請求の範囲】
【請求項１】
口座を管理する複数の金融機関のそれぞれの金融機関サーバ、及び複数の金融機関に係る口座群をアカウントアグリゲーションのサービスの対象として関連付けて管理する統合サーバに接続可能であって、以下の要素を有することを特徴とする金融機関端末
（１）統合サーバから前記関連付けられている口座群の口座情報を取得し、当該口座情報群を表示するアカウントアグリゲーション口座情報画面処理部
（２）前記口座群から残高金額を照会する口座を選択する操作を利用者に促し、選択された口座についての認証を、当該口座を管理する金融機関サーバあるいは統合サーバに依頼し、認証が成功した場合に、当該口座を管理する金融機関サーバから当該口座の残高金額を取得し、表示する残高照会画面処理部
（３）資金移動先口座を前述の口座群から選択する操作と移動資金額を入力する操作を利用者に促し、選択された口座を資金移動先口座とし、既に残高照会を行った口座を資金移動元口座とし、入力された移動資金額に係る資金移動の処理を行う資金移動指示画面処理部。
【請求項２】
資金移動指示画面処理部は、最後に残高照会の対象となった口座を資金移動元口座とすることを特徴とする請求項１記載の金融機関端末。
【請求項３】
口座を管理する複数の金融機関のそれぞれの金融機関サーバ、及び複数の金融機関に係る口座群をアカウントアグリゲーションのサービスの対象として関連付けて管理する統合サーバに接続可能であって、以下の要素を有することを特徴とする金融機関端末
（１）統合サーバから前記関連付けられている口座群の口座情報を取得し、当該口座群の認証を、当該口座群を管理する各金融機関サーバあるいは統合サーバに依頼するアカウントアグリゲーション認証処理部
（２）前記口座情報群を表示するアカウントアグリゲーション口座情報画面処理部
（３）資金移動先口座と資金移動元口座を前述の認証が成功した口座群から選択する操作と移動資金額を入力する操作を利用者に促し、選択されたそれぞれの口座を資金移動先口座と資金移動元口座とし、入力された移動資金額に係る資金移動の処理を行う資金移動指示画面処理部。
【請求項４】
口座を管理する複数の金融機関のそれぞれの金融機関サーバ、及び複数の金融機関に係る口座群をアカウントアグリゲーションのサービスの対象として関連付けて管理する統合サーバに接続可能であって、以下の要素を有することを特徴とする金融機関端末となるコンピュータに、以下の手順を実行させるためのプログラム
（１）統合サーバから前記関連付けられている口座群の口座情報を取得し、当該口座情報群を表示する手順
（２）前記口座群から残高金額を照会する口座を選択する操作を利用者に促し、選択された口座についての認証を、当該口座を管理する金融機関サーバあるいは統合サーバに依頼し、認証が成功した場合に、当該口座を管理する金融機関サーバから当該口座の残高金額を取得し、表示する手順
（３）資金移動先口座を前述の口座群から選択する操作と移動資金額を入力する操作を利用者に促し、選択された口座を資金移動先口座とし、既に残高照会を行った口座を資金移動元口座とし、入力された移動資金額に係る資金移動の処理を行う手順。
【請求項５】
口座を管理する複数の金融機関のそれぞれの金融機関サーバ、及び複数の金融機関に係る口座群をアカウントアグリゲーションのサービスの対象として関連付けて管理する統合サーバに接続可能であって、以下の要素を有することを特徴とする金融機関端末となるコンピュータに、以下の手順を実行させるためのプログラム
（１）統合サーバから前記関連付けられている口座群の口座情報を取得し、当該口座群の認証を、当該口座群を管理する各金融機関サーバあるいは統合サーバに依頼する手順
（２）前記口座情報群を表示する手順
（３）資金移動先口座と資金移動元口座を前述の認証が成功した口座群から選択する操作と移動資金額を入力する操作を利用者に促し、選択されたそれぞれの口座を資金移動先口座と資金移動元口座とし、入力された移動資金額に係る資金移動の処理を行う手順。
【発明の詳細な説明】
【技術分野】
【０００１】
本発明は、アカウントアグリゲーション等の口座を統合するサービスに係り、振込・振替に係る指示の操作の簡便化を図る技術に関する。
【背景技術】
【０００２】
従来技術において、口座間の資金移動を行う場合（つまり、振込・振替を行う場合）には、振込・振替元口座を管理する金融機関の端末からその指示の操作を行う必要がある。
【０００３】
その為、振込・振替先の残高を確認した上で、資金を移動しようとする場合には、振込・振替先口座を管理する金融機関の端末で残高照会した後に、改めて、振込・振替元口座を管理する金融機関の端末から振込・振替を指示する必要がある。
【０００４】
このように、資金移動は、金融機関別の端末において口座認証や振込・振替指示が必要であり、その作業は大変煩わしい。
【０００５】
一方、近年「アカウントアグリゲーション」と呼ばれるサービスが構想されている。このサービスは、顧客がその意思により登録した複数の口座（特に異なる金融機関で管理されている口座群）について、一元的に管理し、一箇所の端末から複数の口座に係るサービスを受けることができるようにするものである。
【０００６】
しかし、アカウントアグリゲーションにおいても資金移動の際の効率的な操作は、提案されていない。
【特許文献１】特開２００２−０６３４９３号公報
【発明の開示】
【発明が解決しようとする課題】
【０００７】
本発明は、上記した従来技術の欠点を除くためになされたものであって、その目的とするところは、アカウントアグリゲーション等の口座を統合するサービスに係り、振込・振替に係る指示の操作の簡便化を図ることを課題とする。
【課題を解決するための手段】
【０００８】
本発明に係る金融機関端末は、
口座を管理する複数の金融機関のそれぞれの金融機関サーバ、及び複数の金融機関に係る口座群をアカウントアグリゲーションのサービスの対象として関連付けて管理する統合サーバに接続可能であって、以下の要素を有することを特徴とする
（１）統合サーバから前記関連付けられている口座群の口座情報を取得し、当該口座情報群を表示するアカウントアグリゲーション口座情報画面処理部
（２）前記口座群から残高金額を照会する口座を選択する操作を利用者に促し、選択された口座についての認証を、当該口座を管理する金融機関サーバあるいは統合サーバに依頼し、認証が成功した場合に、当該口座を管理する金融機関サーバから当該口座の残高金額を取得し、表示する残高照会画面処理部
（３）資金移動先口座を前述の口座群から選択する操作と移動資金額を入力する操作を利用者に促し、選択された口座を資金移動先口座とし、既に残高照会を行った口座を資金移動元口座とし、入力された移動資金額に係る資金移動の処理を行う資金移動指示画面処理部。
【０００９】
資金移動指示画面処理部は、最後に残高照会の対象となった口座を資金移動元口座とすることを特徴とする。
【００１０】
本発明に係る金融機関端末は、
口座を管理する複数の金融機関のそれぞれの金融機関サーバ、及び複数の金融機関に係る口座群をアカウントアグリゲーションのサービスの対象として関連付けて管理する統合サーバに接続可能であって、以下の要素を有することを特徴とする
（１）統合サーバから前記関連付けられている口座群の口座情報を取得し、当該口座群の認証を、当該口座群を管理する各金融機関サーバあるいは統合サーバに依頼するアカウントアグリゲーション認証処理部
（２）前記口座情報群を表示するアカウントアグリゲーション口座情報画面処理部
（３）資金移動先口座と資金移動元口座を前述の認証が成功した口座群から選択する操作と移動資金額を入力する操作を利用者に促し、選択されたそれぞれの口座を資金移動先口座と資金移動元口座とし、入力された移動資金額に係る資金移動の処理を行う資金移動指示画面処理部。
【００１１】
本発明に係るプログラムは、
口座を管理する複数の金融機関のそれぞれの金融機関サーバ、及び複数の金融機関に係る口座群をアカウントアグリゲーションのサービスの対象として関連付けて管理する統合サーバに接続可能であって、以下の要素を有することを特徴とする金融機関端末となるコンピュータに、以下の手順を実行させるためのプログラムあることを特徴とする
（１）統合サーバから前記関連付けられている口座群の口座情報を取得し、当該口座情報群を表示する手順
（２）前記口座群から残高金額を照会する口座を選択する操作を利用者に促し、選択された口座についての認証を、当該口座を管理する金融機関サーバあるいは統合サーバに依頼し、認証が成功した場合に、当該口座を管理する金融機関サーバから当該口座の残高金額を取得し、表示する手順
（３）資金移動先口座を前述の口座群から選択する操作と移動資金額を入力する操作を利用者に促し、選択された口座を資金移動先口座とし、既に残高照会を行った口座を資金移動元口座とし、入力された移動資金額に係る資金移動の処理を行う手順。
【００１２】
本発明に係るプログラムは、
口座を管理する複数の金融機関のそれぞれの金融機関サーバ、及び複数の金融機関に係る口座群をアカウントアグリゲーションのサービスの対象として関連付けて管理する統合サーバに接続可能であって、以下の要素を有することを特徴とする金融機関端末となるコンピュータに、以下の手順を実行させるためのプログラム
（１）統合サーバから前記関連付けられている口座群の口座情報を取得し、当該口座群の認証を、当該口座群を管理する各金融機関サーバあるいは統合サーバに依頼する手順
（２）前記口座情報群を表示する手順
（３）資金移動先口座と資金移動元口座を前述の認証が成功した口座群から選択する操作と移動資金額を入力する操作を利用者に促し、選択されたそれぞれの口座を資金移動先口座と資金移動元口座とし、入力された移動資金額に係る資金移動の処理を行う手順。
【発明の効果】
【００１３】
本発明においては、既に残高照会を行った口座を資金移動元口座（例では、振込・振替元口座）として資金移動指示画面（例では、振込・振替指示画面）を生成し、あるいは、統合されている口座を予めすべて認証してから、資金移動元口座と資金移動先口座（例では、振込・振替先口座）を自在に選択できるようにしたので、資金移動に係る操作が簡単になる。
【発明を実施するための最良の形態】
【００１４】
実施の形態１．
以下本発明を図面に示す実施例に基づいて説明する。図１は、アカウントアグリゲーションシステムのネットワーク環境を示す図である。ＡＡ銀行ネットワークは、ＡＡ銀行サーバ２とＡＡ銀行端末３群を接続し、ＢＢ銀行ネットワークは、ＢＢ銀行サーバ４とＢＢ銀行端末５群を接続し、ＣＣ銀行ネットワークは、ＣＣ銀行サーバ６とＣＣ銀行端末７群を接続している。統合ネットワークは、これら各銀行ネットワークと統合サーバ１を接続している。統合サーバ１は、複数の銀行に係る口座群を特定顧客へのアカウントアグリゲーションのサービスの対象として関連付けて管理する。尚、銀行は、金融機関の例であって、銀行サーバは、金融機関サーバの例である。
【００１５】
本実施の形態のアカウントアグリゲーション方式では、統合されている口座群を代表する代表口座に係る代表カードに記された口座番号と、それに対応する暗証番号でログインする。アカウントアグリゲーションとして登録済みのすべての口座に関する情報を画面表示する。一つ一つの口座についての詳細情報（残高や取引履歴など）の確認や口座に関する指示を行うには、各口座番号とそれに対応する暗証番号による認証が必要となる。
【００１６】
以下、資金移動に関する操作について説明する。具体的には、一箇所の端末における一連の操作で、振込先口座の残高を確認し、振込元口座について残高を確認し、更に振込を指示する画面フローについて説明する。
【００１７】
まず、振込先口座の残高を確認する操作について説明する。例えば、当該振込先口座を料金引落し口座として利用している場合に、その残高が不足しているかもしれないので、残高を確認して、資金に余裕のある口座から資金移動（振込）を行うような場合を想定する。
【００１８】
図２は、振込先口座の残高照会画面への画面フローを示す図である。アカウントアグリゲーション口座情報画面２０１には、予めアカウントアグリゲーションのサービスの対象として登録されている口座群の口座情報が表示されている。通常、これらは同一名義人のものである。アカウントアグリゲーションのサービスであるので、異なる銀行の口座群を一括して処理することを想定している。この画面で、「残高照会」のアイコンを選択すると、残高照会画面２０２に遷移する。残高照会画面２０２では、プルダウンメニューに、アカウントアグリゲーションの対象である口座を一覧表示する。そして、そこから選択された口座についての暗証番号を入力すると、当該口座の残高金額が表示される。
【００１９】
次に、振込先口座の残高を確認する操作について説明する。図３は、振込元口座の残高照会画面への画面フローを示す図である。残高照会画面２０２から戻ったアカウントアグリゲーション口座情報画面３０１は、ＣＣ銀行◇◇支店口座の残高確認が済んでいる状態を示している。振込元口座の残高を確認する場合は、更に別の口座残高を確認する必要がある。そこで、「残高照会」のアイコンを選択すると、残高照会画面３０２に遷移する。この画面は、図２の残高照会画面２０２と同様に、プルダウンメニューに、アカウントアグリゲーションの対象である口座を一覧表示する。そして、そこから振込元の口座を選択し、その暗証番号を入力すると、当該口座の残高金額が表示される。
【００２０】
最後に、振込を指示する操作について説明する。図４は、振込み・振替指示画面への画面フローを示す図である。残高照会画面３０２から戻ったアカウントアグリゲーション口座情報画面４０１から、「振込・振替」のアイコンを選択すると、振込・振替指示画面４０２に遷移する。振込・振替指示画面４０２で、振込・振替元口座には、直前の残高照会の対象となった口座を表示している。そして、振込・振替先口座として、プルダウンメニューでアカウントアグリゲーションの対象である口座を選択することができる。既に残高照会等で認証済の口座については、改めて認証する必要はない。第三者の口座に振込むような場合は、別途銀行名を含めて口座を指定することになる。最後に振込・振替金額を入力し、確認することにより、振込あるいは振替の指示が完了する。
【００２１】
上述の操作に係る端末側の動作について説明する。図５は、全体処理フロー（その１）を示す図である。アカウントアグリゲーション口座情報画面処理（Ｓ５０１）は、前述のアカウントアグリゲーション口座情報画面２０１，３０１，４０１に関連する処理を行い、残高照会画面処理（Ｓ５０２）は、前述の残高照会画面２０２，残高照会画面３０２に関連する処理を行い、資金移動指示画面処理（Ｓ５０３）は、前述の振込・振替指示画面４０２に関連する処理を行う。各処理の詳細については、後述する。
【００２２】
まず、アカウントアグリゲーション口座情報画面処理（Ｓ５０１）について詳述する。図６は、アカウントアグリゲーション口座情報画面処理フローを示す図である。アカウントアグリゲーションのサービスの対象として登録されているすべての口座情報を、内部の口座テーブルから取得する（Ｓ６０１）。口座テーブルは、最初のＳ５０１の処理で、統合サーバ１から上記すべての口座情報を取得し、記憶しておく。その後の一連の操作で繰り返されるＳ５０１の処理では、口座テーブルから口座情報を読み込む。また、口座テーブルは、口座情報に対応付けて暗証番号と認証済みか否かと残高金額を記憶することができるように構成されている。そして、一連の操作で、既に認証済みの口座がある場合には、認証済の口座の残高金額を、その口座を管理している銀行サーバから取得する（Ｓ６０２）。但し、既に残高金額を取得し、口座テーブルに記憶している場合には、それを用いる。そして、これらの情報を配置したアカウントアグリゲーション口座情報画面を生成し、出力する（Ｓ６０３）。「残高照会」等の各アイコンに係るイベントを取得する（Ｓ６０４）。最後に、そのイベント種別をステータスとして出力して（Ｓ６０５）、終了する。
【００２３】
次に、残高照会画面処理（Ｓ５０２）について詳述する。図７は、残高照会画面３０２を表示する、残高照会画面処理フローを示す図である。プルダウンメニューに表示するために、前述の口座情報を読込み（Ｓ７０１）、残高照会画面に表示する情報を生成し、残高照会画面を表示する（Ｓ７０２）。この画面は、口座の選択の他、暗証番号の入力を促すように構成されている。そして、この画面上の「確認」等のアイコンに係るイベントを取得する（Ｓ７０３）。そのイベントが「確認」である場合には、選択されている口座情報に基づいて、当該口座を管理している銀行サーバを特定し、そのサーバに対して支店名、口座番号、口座種別等の口座情報と、入力されている暗証番号を送信し、認証を依頼する（Ｓ７０４）。認証に成功すると、暗証番号と認証済の旨を口座テーブルに記憶する（Ｓ７０５）。そして、当該口座を管理する銀行サーバから、当該口座の残高金額を取得し（Ｓ７０６）、残高金額を画面に出力するとともに、口座テーブルに記憶する（Ｓ７０７）。尚、上述の認証は、統合サーバ１に対して依頼しても構わない。
【００２４】
最後に、資金移動指示画面処理（Ｓ５０３）について詳述する。図８は、資金移動指示画面処理フロー（その１）を示す図である。最後に残高照会の対象となった認証済の口座の口座情報を振込・振替元口座の表示情報とする（Ｓ８０１）。また、他の口座情報を振込・振替先口座の選択候補情報とする（Ｓ８０２）。そして、振込・振替指示画面に表示する情報を生成し、振込・振替指示画面を表示する（Ｓ８０３）。この画面は、振込・振替先口座の選択の他、振込・振替金額の入力を促すように構成されている。この画面上の「確認」等のアイコンに係るイベントを取得する（Ｓ８０４）。取得したイベントが「確認」である場合には、認証済の口座の口座情報を、振込・振替元口座特定情報とし、選択された口座の口座情報を、振込・振替先口座特定情報とし、入力された振込・振替金額の値を、振込・振替金額として、振込・振替処理を行う（Ｓ８０５）。具体的には、振込・振替元口座を管理している銀行サーバにこれらの情報を送信する。
【００２５】
実施の形態２．
実施の形態１に比べ、更に操作性を向上させる例について説明する。この実施の形態では、最初のアカウントアグリゲーション口座情報画面９０１を表示した時点で、すべての口座の認証処理がすんでいることを前提としている。そのため、その後の処理では暗証番号入力の手間が不要となり、自由に口座間の資金移動を指示出来るようになっている。
【００２６】
図９は、実施の形態２に係る画面フローを示す図である。アグリゲーションのサービスの対象として登録されているすべて口座について認証が完了し、残高金額もすべて取得している状態で、アカウントアグリゲーション口座情報画面９０１を表示する。この画面で、「振込・振替」を選択すると、振込・振替指示画面９０２に遷移する。この画面では、振込・振替元口座、及び振込・振替先口座をそれぞれのプルダウンメニューから選択することができるように構成されている。それぞれのプルダウンメニューには、前述の認証済の口座の口座情報が表示される。各口座を選択した状態で、振込・振替金額を入力し、「確認」のアイコンを選択すると、振込又は振替の指示が完了する。
【００２７】
以下、本実施の形態における端末の処理について説明する。図１０は、全体処理フロー（その２）を示す図である。
【００２８】
アカウントアグリゲーション認証処理（Ｓ１００１）では、利用者が予めアカウントアグリゲーションの対象として予め登録しているすべての口座について、認証を行う。
【００２９】
アカウントアグリゲーション口座情報画面処理（Ｓ１００２）は、前述のアカウントアグリゲーション口座情報画面９０１に関連する処理を行い、資金移動指示画面処理（Ｓ１００３）は、前述の振込・振替指示画面９０２に関連する処理を行う。
【００３０】
まず、アカウントアグリゲーション認証処理（Ｓ１００１）の例について詳述する。図１１は、アカウントアグリゲーション認証処理フローを示す図である。まず、統合サーバ１からアカウントアグリゲーションのサービスの対象となるすべての口座情報を取得する（Ｓ１１０１）。そして、各口座の暗証番号の入力を利用者に促し、暗証番号を取得する（Ｓ１１０２）。そして、各口座を管理する銀行サーバに対して各口座の認証を依頼する（Ｓ１１０３）。そして、各口座の認証結果を口座テーブルに記憶する（Ｓ１１０４）。尚、上述の認証は、統合サーバ１に依頼してもよい。
【００３１】
アカウントアグリゲーション認証処理（Ｓ１００１）は、前述以外の手順で認証しても構わない。例えば、統合サーバ１にすべての口座の口座情報と暗証番号を予め登録しておき、端末から統合サーバ１に一括認証を依頼することにより、統合サーバ１から各口座の口座情報と暗証番号を用いて、それぞれの口座を管理しているサーバに認証を依頼するようにしてもよい。
【００３２】
アカウントアグリゲーション口座情報画面処理（Ｓ１００２）は、実施の形態１と同様である。
【００３３】
最後に、資金移動指示画面処理（Ｓ１００３）について詳述する。図１２は、資金移動指示画面処理フロー（その２）を示す図である。認証済のすべての口座情報を振込・振替元口座の選択候補情報とし（Ｓ１２０１）、認証済のすべての口座情報を振込・振替先口座の選択候補情報とする（Ｓ１２０２）。そして、これらの口座の選択を促す振込・振替指示画面に表示する情報を生成し、振込・振替指示画面を表示する（Ｓ１２０３）。この画面は、口座の選択の他、振込・振替先金額の入力も促すように構成されている。この画面上の「確認」等のアイコンに係るイベントを取得する（Ｓ１２０４）。振込・振替元として選択された口座の口座情報を、振込・振替元口座特定情報とし（Ｓ１２０５）、振込・振替先として選択された口座の口座情報を、振込・振替先口座特定情報とする（Ｓ１２０６）。そして、入力された振込・振替金額の値を、振込・振替金額として（Ｓ１２０７）、振込・振替処理を行う（Ｓ１２０８）。
【００３４】
端末、銀行サーバ、統合サーバは、コンピュータであり、各要素はプログラムにより処理を実行することができる。また、プログラムを記憶媒体に記憶させ、記憶媒体からコンピュータに読み取られるようにすることができる。
図１３は、金融機関端末のハードウエア構成例を示す図である。バスに、ディスプレイ装置１３０１、演算装置１３０２、データ記憶装置１３０３、操作入力装置１３０４、メモリ１３０５、通信インターフェース装置１３０６が接続されている。データ記憶装置１３０３は、例えばハードディスクである。操作入力装置１３０４は、例えばタッチパネルである。
【００３５】
プログラムは、通常データ記憶装置１３０３に記憶されており、メモリ１３０５にロードされた状態で、順次演算装置１３０２に読み込まれ処理を行う。
【００３６】
図１４は、金融機関端末の主な要素とデータフローを示す図である。アカウントアグリゲーション口座情報画面処理部１４０１は、図５のＳ５０１の処理を行うように構成されている。同様に、残高照会画面処理部１４０２は、Ｓ５０２の処理を、資金移動指示画面処理部１４０３は、Ｓ５０３の処理を行うように構成されている。
【図面の簡単な説明】
【００３７】
【図１】アカウントアグリゲーションシステムのネットワーク環境を示す図である。
【図２】振込先口座の残高照会画面への画面フローを示す図である。
【図３】振込元口座の残高照会画面への画面フローを示す図である。
【図４】振込み・振替指示画面への画面フローを示す図である。
【図５】全体処理フロー（その１）を示す図である。
【図６】アカウントアグリゲーション口座情報画面処理フローを示す図である。
【図７】残高照会画面処理フローを示す図である。
【図８】資金移動指示画面処理フロー（その１）を示す図である。
【図９】実施の形態２に係る画面フローを示す図である。
【図１０】全体処理フロー（その２）を示す図である。
【図１１】アカウントアグリゲーション認証処理フローを示す図である。
【図１２】資金移動指示画面処理フロー（その２）を示す図である。
【図１３】金融機関端末のハードウエア構成例を示す図である。
【図１４】金融機関端末の主な要素とデータフローを示す図である。
【符号の説明】
【００３８】
１  統合サーバ、２  ＡＡ銀行サーバ、３  ＡＡ銀行端末、４  ＢＢ銀行サーバ、５  ＢＢ銀行端末、６  ＣＣ銀行サーバ、７  ＣＣ銀行端末、２０１  アカウントアグリゲーション口座情報画面、２０２  残高照会画面、３０１  アカウントアグリゲーション口座情報画面、３０２  残高照会画面、４０１  アカウントアグリゲーション口座情報画面、４０２  振込・振替指示画面、９０１  アカウントアグリゲーション口座情報画面、９０２  振込・振替指示画面、１３０１  ディスプレイ装置、１３０２  演算装置、１３０３  データ記憶装置、１３０４  操作入力装置、１３０５  メモリ、１３０６  通信インターフェース装置、１４０１  アカウントアグリケーション口座情報画面処理部、１４０２  残高照会画面処理部、１４０３  資金移動指示画面処理部。
【図１】
2005173718.tif 000003
【図２】
2005173718.tif 000004
【図３】
2005173718.tif 000005
【図４】
2005173718.tif 000006
【図５】
2005173718.tif 000007
【図６】
2005173718.tif 000008
【図７】
2005173718.tif 000009
【図８】
2005173718.tif 000010
【図９】
2005173718.tif 000011
【図１０】
2005173718.tif 000012
【図１１】
2005173718.tif 000013
【図１２】
2005173718.tif 000014
【図１３】
2005173718.tif 000015
【図１４】
2005173718.tif 000016